(57)【特許請求の範囲】
【請求項１】
画像表示装置において、
画面上にウインドウを設け、
ウインドウの辺に沿って所定幅のポインティング領域を設定し、
ポインティング領域を設定したウインドウに情報群を表示し、
ポインティングカーソルが前記ポインティング領域をポイントしているか否かを判定し、
ポインティングカーソルがポインティング領域をポイントしているとき、表示されている情報群の中のある部分情報を指し示している第１のカーソルの、ポインティングカーソルがポイントしているポインティング領域側の、隣に他の部分情報があるか否かを判定し、
他の部分情報がある場合には、情報群を前記ポイントされているポインティング領域側とは反対方向にスクロールして表示すると共に第１のカーソルをスクロール方向とは逆の方向の所定位置に移動させる、
ことを特徴とするポインティングデバイスによる第１のカーソルの移動方法。
【請求項２】
画像表示装置において、
画面上にウインドウを設け、
上記ウインドウの各辺に沿ってそれぞれ所定幅の第１ないし第４のポインティング領域を設定し、
上記各ポインティング領域を設定したウインドウに文字群を行方向又は列方向に表示し、
ポインティングカーソルが前記第１ないし第４のポインティング領域のうちのいずれかをポイントしているか否かを判定し、
ポインティングカーソルがいずれかのポインティング領域をポイントしているとき、表示されている文字群の中のある１文字を指し示している文字カーソルの、ポインティングカーソルがポイントしているポインティング領域側の、隣に文字があるか否かを判定し、  文字がある場合には、文字群を前記ポイントされているポインティング領域側とは反対方向にスクロールして表示すると共に文字カーソルをスクロール方向とは逆の方向の所定位置に移動させる、
ことを特徴とするポインティングデバイスによる文字カーソルの移動方法。
【請求項３】
画像表示装置において、
画面上に所定幅のポインティング領域を４辺とする矩形枠を設定し、
上記枠内に情報群を表示し、
ポインティングカーソルが前記矩形枠をポイントしているか否かを判定し、
ポインティングカーソルが前記矩形枠をポイントしているとき、表示されている情報群の中のある部分情報を指し示している第１のカーソルの、ポインティングカーソルがポイントしている枠側の、隣に他の部分情報があるか否かを判定し、
他の部分情報がある場合には、情報群を前記ポイントされている枠とは反対側の枠の方向にスクロールして表示すると共に第１のカーソルをスクロール方向とは逆の方向の所定位置に移動させる、
ことを特徴とするポインティングデバイスによる第１のカーソルの移動方法。
【請求項４】
画像表示装置において、
画面上に所定幅の第１ないし第４のポインティング領域を辺とする矩形枠を設定し、
上記枠内に文字群を行方向又は列方向に表示し、
ポインティングカーソルが前記矩形枠をポイントしているか否かを判定し、
ポインティングカーソルが前記矩形枠をポイントしているとき、前記表示されている文字群の中のある１文字を指し示している文字カーソルの、ポインティングカーソルがポイントしている枠側の、隣に文字があるか否かを判定し、
文字がある場合には、文字群を前記ポイントされている枠とは反対側の枠の方向にスクロールして表示すると共に文字カーソルをスクロール方向とは逆の方向の所定位置に移動させる、
ことを特徴とするポインティングデバイスによる文字カーソルの移動方法。
【発明の詳細な説明】
【０００１】
【産業上の利用分野】
本発明は、表示装置に表示された情報の位置を示すカーソルの移動方法に関し、特に、画面をスクロールする際のマウス等のポインティングデバイスによる文字カーソルの移動方法に関する。
【０００２】
【従来の技術】
表示装置のディスプレイ画面上に表示された情報のうち着目情報の位置を示したり、次に処理を行う情報の位置を示したりするためにカーソルが用いられているが、このカーソルを移動する方法としてはプログラムで処理対象の現在位置や次の位置を自動的に移動させる場合のほか、使用者が移動させる場合にはキーボード上の文字カーソル移動キー（例えば、矢印キー（→，←，↑，↓））入力により移動させる方法や、マウス等のポインティングデバイスによりポインティングカーソル（例えば、矢印で画面上で示されるマウスカーソル）で着目位置を指し示したり、画面上に設けられたアイコン（絵文字）を指し示して文字カーソルを移動させる方法がある。
【０００３】
ポインティングデバイスを用いてのカーソルの移動は任意の情報をポインティングカーソルでポイントすることでその位置に文字カーソルを移動させることができるので作業効率はよいものの、文字カーソルを移動する場合にはキーボード操作によるか、或いはポインティングデバイスにより次のカーソル位置をポイントさせるかのいずれかであるため、操作上の不便さがあるという問題点があった。
【０００４】
このような問題点を解消するための技術の例として、特開平５−３３４２８９号公報に開示の技術のように文書編集処理において編集中の図形の文字レコード領域内の文字カーソルをキー操作またはポインティングデバイスの操作で所望の図形の文字レコード位置に移動させるものや、特開平６−１４９４７８号公報に開示の技術のように、ポインティングカーソルが通常は文字カーソルと連動させ、ポインティングデバイスの操作時は文字カーソルを起点として動き、ポインティングデバイスの操作終了時にはカーソル位置に復帰させるよう構成したポインティングデバイスを用いてのカーソルの移動方法がある。
【０００５】
一方、表示装置の画面上（例えば、ワードプロセッサの編集画面）で画面上に表示されていない部分を表示するためにはキーボード上の矢印キーを押すことで画面のスクロールを行うようにする方法や、図７に例示するようなボタン７１〜７４を画面上に設けて、使用者がポインティングデバイスを操作してポインティングカーソルでボタン７１〜７４のいずれかをポイント（指し示すこと）して、選択されたボタンの意味する方向に画面をスクロールする方法や、図８に例示するようにウインドウ８１の枠にポインティングデバイスの操作で移動させることのできるスイッチ（スクロールバー８２）を設け、ポインティングデバイスを操作してスクロールバー８２を動かすことで任意の方向にスクロールをさせる方法がある。
【０００６】
【発明が解決しようとする課題】
上記従来の技術のうち、ポインティングデバイスの操作により画面をスクロールさせる場合のカーソルの移動方法は、いずれの場合も視線を現在着目している情報の位置からボタン７１やスクロールバー８２のようなカーソル移動用の意味を持たせた移動マークの領域まで動かしながらポインティングデバイスを操作してポインティングカーソルにより所望の移動マークを移動させるかポイントする必要があり、操作上煩わしさがあり、また、使用者の目の疲労を伴うといった問題点があった。
【０００７】
特に、文字認識装置の修正画面のように表示された情報（認識文字）を変更するような場合を例にとると、候補文字による修正の場合ではポインティングデバイスによる文字カーソルの移動は任意の文字を指定して候補文字による入れ換えができるので便利であるが、スクロールの度にポインティングカーソルを画面上に設けられた文字カーソル移動用のマーク部分に移動させて認識結果をスクロールさせる必要があるので、その度に新たな認識結果を再ポイントしなければならないこととなり確認処理の中断をもたらし、目を疲労させると共に作業効率がよくないという問題点があった。
【０００８】
本発明は、上記従来技術の問題点に基づいてなされたものであり、文字カーソルとポインティングカーソルを用いる処理において、表示情報をスクロールした場合に必要なポインティングカーソルの移動を最小限にし、作業効率を向上させ目の疲労を低減させる、操作上便利なカーソルの移動方法の提供を目的とする。
【０００９】
【課題を解決するための手段】
上記の目的を達成するために、第１の発明のポインティングデバイスによるカーソルの移動方法は、画像表示装置において、画面上にウインドウを設け、ウインドウの辺に沿って所定幅のポインティング領域を設定し、ポインティング領域を設定したウインドウに情報群を表示し、ポインティングカーソルがポインティング領域をポイントしているか否かを判定し、ポインティングカーソルがポインティング領域をポイントしているとき、表示されている情報群の中のある部分情報を指し示している第１のカーソルの、ポインティングカーソルがポイントしているポインティング領域側の、隣に他の部分情報があるか否かを判定し、他の部分情報がある場合には、情報群をポイントされているポインティング領域側とは反対方向にスクロールして表示すると共に第１のカーソルをスクロール方向とは逆の方向の所定位置に移動させる、ことを特徴とする。
【００１０】
第２の発明のポインティングデバイスによるカーソルの移動方法は、画像表示装置において、 画面上にウインドウを設け、上記ウインドウの各辺に沿ってそれぞれ所定幅の第１ないし第４のポインティング領域を設定し、上記各ポインティング領域を設定したウインドウに文字群を行方向又は列方向に表示し、ポインティングカーソルが第１ないし第４のポインティング領域のうちのいずれかをポイントしているか否かを判定し、ポインティングカーソルがいずれかのポインティング領域をポイントしているとき、表示されている文字群の中のある１文字を指し示している文字カーソルの、ポインティングカーソルがポイントしているポインティング領域側の、隣に文字があるか否かを判定し、文字がある場合には、文字群をポイントされているポインティング領域側とは反対方向にスクロールして表示すると共に文字カーソルをスクロール方向とは逆の方向の所定位置に移動させる、ことを特徴とする。
【００１１】
第３の発明のポインティングデバイスによるカーソルの移動方法は、画像表示装置において、画面上に所定幅のポインティング領域を４辺とする矩形枠を設定し、上記枠内に情報群を表示し、ポインティングカーソルが矩形枠をポイントしているか否かを判定し、ポインティングカーソルが矩形枠をポイントしているとき、表示されている情報群の中のある部分情報を指し示している第１のカーソルの、ポインティングカーソルがポイントしている枠側の、隣に他の部分情報があるか否かを判定し、他の部分情報がある場合には、情報群をポイントされている枠とは反対側の枠の方向にスクロールして表示すると共に第１のカーソルをスクロール方向とは逆の方向の所定位置に移動させる、ことを特徴とする。
【００１２】
第４の発明のポインティングデバイスによるカーソルの移動方法は、画像表示装置において、画面上に所定幅の第１ないし第４のポインティング領域を辺とする矩形枠を設定し、上記枠内に文字群を行方向又は列方向に表示し、ポインティングカーソルが矩形枠をポイントしているか否かを判定し、ポインティングカーソルが矩形枠をポイントしているとき、表示されている文字群の中のある１文字を指し示している文字カーソルの、ポインティングカーソルがポイントしている枠側の、隣に文字があるか否かを判定し、
文字がある場合には、文字群をポイントされている枠とは反対側の枠の方向にスクロールして表示すると共に文字カーソルをスクロール方向とは逆の方向の所定位置に移動させる、ことを特徴とする。
【００１３】
【作用】
上記構成により、第１の発明のポインティングデバイスによるカーソルの移動方法は、ポインティングデバイスの操作によりポインティングカーソルがウインドウの上下左右の辺に沿って設定されたポインティング領域をポイントしている場合に、ポイントされたポインティング領域が上下左右のいずれかを判定し、その判定結果によりスクロール方向及び第１のカーソル移動方向を決定し、表示情報を決定された方向にスクロールすると共に第１のカーソルを所定ピッチ決定された方向に移動させる。
【００１４】
第２の発明のポインティングデバイスによるカーソルの移動方法は、画像表示装置において、ポインティングデバイスの操作によりポインティングカーソルがウインドウの上下左右の辺に沿って設定されたポインティング領域をポイントしている場合に、ポイントされたポインティング領域が上下左右のいずれかを判定し、その判定結果によりスクロール方向及び文字カーソル移動方向を決定し、文字を決定された方向にスクロールすると共に文字カーソルを所定文字分決定された方向に移動させる。
【００１５】
第３の発明のポインティングデバイスによるカーソルの移動方法は、画像表示装置において、ポインティングデバイスの操作によりポインティングカーソルが枠を構成する上下左右のポインティング領域をポイントしている場合に、ポイントされたポインティング領域が上下左右のいずれかを判定し、その判定結果によりスクロール方向及び第１のカーソル移動方向を決定し、表示情報を決定された方向にスクロールすると共に第１のカーソルを所定ピッチ移動させる。
【００１６】
第４の発明のポインティングデバイスによるカーソルの移動方法は、画像表示装置において、ポインティングデバイスの操作によりポインティングカーソルが枠を構成する上下左右のポインティング領域をポイントしている場合に、ポイントされたポインティング領域が上下左右のいずれかを判定し、その判定結果によりスクロール方向及び文字カーソルの移動方向を決定し、文字を決定された方向にスクロールすると共に文字カーソルを所定ピッチ移動させる。
【００１７】
【実施例】
図６はポインティングデバイスによるカーソルの移動方法の一実施例としての認識文字とイメージデータの対応的表示方法を適用し得る文字認識装置の構成例を示すブロック図である。
【００１８】
図６で、１は原稿、２は画像読取装置、３はキー入力デバイス、４はポインティングデバイス、５はディスプレイ、６は入力デバイス管理部、７は文字列抽出部、８は文字認識部、９は修正処理部、１０は表示制御部、１１は画像データ格納部、１２は認識辞書、１３は修正結果格納部である。
【００１９】
以下、文字認識装置２０の動作を説明する。原稿１上の文字データは画像読取装置２により光学的に読取られ、電気信号に変換され、デジタルデータ化されて画像データとして画像データ格納部１１に格納される。文字列抽出部７は画像データ格納部１１に格納されている画像データから文字列の左上、右下座標を判別し、座標データを文字認識部８へ渡す。なお、本実施例における座標として画像データの左上を原点とした直交座標系を用いる。また、座標系の距離単位を４００ｄｐｉで読み取った場合のｄｏｔ数で示している。文字認識部８では全文字列に対して画像データ格納部１１の画像データと文字列の座標から１文字単位の切り出し、大きさの正規化等の前処理、特徴抽出、認識辞書との比較を行い、類似度の高い順に複数個の候補文字コードおよび一文字単位の切出しの際に求めた文字の外接矩形の左上、右下（すなわち、その文字の切出し座標）を認識結果として修正処理部９に渡す。修正処理部９は認識結果と画像データ格納部１１の画像データを元に表示制御部１０を介して修正画面を表示する画面設定手段９１，ポインティング領域判定手段９２、スクロール手段９３、カーソル移動手段９４，かな漢字変換による文字の上書き，挿入や候補文字による置き換え手段９５、文字の削除手段等表示データの修正・編集に必要な手段９６を有する編集手段９０（図１参照）により、修正画面に表示された認識文字の修正・編集を行う。
【００２０】
次に、図１は文字認識装置２０の修正処理部９における編集手段９０の構成を示すブロック図であり、図２（ａ）〜（ｃ）は、それぞれ、画面設定手段９１，ポインティング領域判定手段９２，スクロール手段９３およびカーソル移動手段９４の動作を示すフローチャートであり、図３は文字認識装置２０の画面設定手段９１により認識結果とイメージデータを対応表示した初期修正画面の例であり、図４は認識処理結果の修正処理中の修正画面の例、図５は図４において右方向カーソル移動処理実行後の修正画面である。
【００２１】
なお、図３〜図５に共通して、２１はベースウインドウ、２２は文字認識による認識結果を枠内に表示する表示窓としての認識結果表示ウインドウ、２２は認識結果表示ウインドウの上下左右の辺に沿って設けられたポインティング領域、２３は原稿イメージデータを枠内に表示する表示窓としての原稿イメージウインドウ、２４は認識結果表示ウインドウ２２に表示された認識結果のうちの任意に指定された認識結果（１文字）を表示する１文字イメージウインドウ、２６は認識結果のうちの任意の１認識結果の位置を示す文字カーソルである。
【００２２】
以下、図２および図３〜図５に基づいて画像認識装置２０における画面設定手段、ポインティング領域判定手段、スクロール手段およびカーソル移動手段の動作を一例として、本発明のポインティングデバイスによるカーソルの移動方法について説明する。
【００２３】
図２（ａ）および図３で、編集手段９０は画面設定手段９１により、先ず、ディスプレイ５の画面上にベースウインドウ２１を開き（Ｓ１０１）、次に、ベースウインドウ２１上に重畳させて認識結果表示ウインドウ２２を開く（Ｓ１０２）。なお、図３では認識結果表示ウインドウ２２を開いた後に原稿イメージウインドウ２３を開き、認識結果表示ウインドウ２２に認識結果候補文字の中で最も類似度の高い文字を表示し、認識結果の最初の文字（第１行の最左端の文字位置）にカーソルを表示しているが、本発明の説明に直接関係する部分ではないので説明を省略する。
【００２４】
編集手段９０は画面設定手段９１により、認識結果表示ウインドウ２２の上下左右の各辺の内側に沿ってそれぞれ所定幅の第１ないし第４のポインティング領域２２（上，下，左，右に対応させてそれぞれ第１，第２，第３，第４のポインティング領域とする）を設定し（ステップＳ１０３）、認識結果表示ウインドウ２２に文字認識部８を介した画像データ格納部１１の原稿１枚分の認識文字の全部または一部を行方向及び列方向に表示する（ステップＳ１０４）。
【００２５】
初期修正画面の表示が終ると、編集手段９０は入力デバイス管理部６を介してキー入力部３或いはポインティングデバイス４からの指示を待つ。本実施例では修正処理部９は前述したように編集手段９０としてカーソル移動手段９４，かな漢字変換による文字の上書き，挿入，候補文字による置き換え手段９５、文字の削除手段等の表示データの修正・編集に必要な手段９５を有しており、この中で、候補文字による置き換え手段９４はポインティングデバイス４で任意の認識結果をポイントする（指し示す）とポイントされた認識結果の位置に文字カーソル２６が移動し、候補文字を表示した１文字イメージウインドウ２４が開き、ポインティングデバイス４によるポイント操作で任意の候補文字への置き換えができるように構成されている。
【００２６】
図２（ｂ）は、使用者がポインティングデバイス４を操作した場合の編集手段９０のポインティング領域判定手段９２による処理のフローチャートであり、図２（ａ）で説明した初期修正画面の表示が終了した後、使用者が認識結果表示ウインドウ２２に表示されている認識結果の修正作業を行う場合に編集手段の１つとしてポインティングデバイス４を操作することによりポインティング領域判定手段９２が起動され実行を開始する。
【００２７】
図２（ｂ）で、使用者がポインティングデバイス４を操作した場合、ポインティング領域判定手段９２はポインティングカーソル（図示略）によってポイントされた場所がポインティング領域２２か否かを判定する（ステップＳ２０１）。
【００２８】ポインティング領域２２をポイントしていない場合には他の処理、例えば、候補文字による認識結果の修正等、スクロールとは別の処理に移行する（ステップＳ２０２）。
【００２９】
ポインティング領域２２をポイントしている場合には上下左右いずれのポインティング領域２２がポイントされたかを判定し（Ｓ２０３）、認識結果表示ウインドウ２２の上辺に沿ったポインティング領域（第１のポインティング領域）の場合には上方向カーソル移動処理を実行し（Ｓ２０４）、認識結果表示ウインドウ２２の下辺に沿ったポインティング領域（第２のポインティング領域）の場合には下方向カーソル移動処理を実行し（Ｓ２０５）、認識結果表示ウインドウ２２の左辺に沿ったポインティング領域（第３のポインティング領域）の場合には左方向カーソル移動処理を実行し（Ｓ２０６）、認識結果表示ウインドウ２２の右辺に沿ったポインティング領域（第４のポインティング領域）の場合には右方向カーソル移動処理を実行する（Ｓ２０７）。
【００３０】
なお、上述したようにポインティング領域判定手段９２は認識結果表示ウインドウ２２の上下左右の辺の縁内に設けられたポインティング領域２２の位置（上下左右）に対応して上下左右のカーソル移動手段を起動する。ここで、本実施例ではポインティング領域２２で２つの位置に属する部分、すなわち認識結果表示ウインドウ２２の４隅がポイントされてもカーソル起動手段を起動しないように構成しているが、４隅の各々について別の意味（機能）を持たせるよう構成してもよい。
【００３１】
図２（ｃ）はスクロール手段９３およびカーソル移動手段９４の動作のうち、図２（ｂ）でポインティング領域判定手段９２により右方向カーソル移動処理が選択された場合を例とするスクロール手段９３およびカーソル移動手段９４の動作を示すフローチャートである。以下、図４，図５と併せ図２（ｃ）はスクロール手段９３およびカーソル移動手段９４の動作について説明する。
【００３２】
文字カーソル２６が図４に示すように認識結果ウインドウ２２に表示された認識結果のうち１行目１番右側に表示された認識結果である「の」に位置しているとき、使用者が文字カーソル２６の次の認識結果（すなわち、画面上は表示されていない「の」に続く認識結果）を確認するため、ポインティングデバイス４を操作して「の」のすぐ右にあるポインティング領域２２（第４のポインティング領域）をポインティングカーソルでポイントすると前述した図２（ｂ）のステップＳ２０１およびステップＳ２０３を経て右方向カーソル移動処理（Ｓ２０７）が起動される。
【００３３】
図２（ｃ）で、カーソル移動手段は文字カーソル２６の次の認識結果があるか否かを判定する（Ｓ３０１）。本実施例では文字カーソル２６の位置が行末のため右側に認識結果がない場合にはなにもせず右方向カーソル移動処理を終了させるが、これに限られず、例えば、次の行の先頭に文字カーソル２６を移動させるよう構成してもよい。
【００３４】
文字カーソル２６の右側に次の認識結果がある場合にはそれが認識結果ウインドウ２２に表示されているか否かを判定する（Ｓ３０２）。表示されている場合にはステップＳ３０４に移行し、図４に示すように文字カーソル２６の右側に次の認識結果が表示されていない場合にはスクロール手段９３により認識結果ウインドウ２２に表示されている認識結果の列を左方向に１文字分スクロールさせてから（Ｓ３０３）、カーソル移動手段９４が図５に示すように文字カーソル２６をスクロールの結果表示された次の認識結果「表」の位置に移動させる（Ｓ３０４）。
【００３５】
なお、本実施例ではステップＳ３０３で認識結果ウインドウ２２に表示されている認識結果の列を左方向に１文字分スクロールするようスクロール手段９３を構成しているが、ポイントカーソルが当該ポインティング領域にある時間に比例して１文字分ずつスクロールさせるよう構成してもよく、また、ポインティングデバイス４の操作ボタンを押している時間に比例して１文字分ずつスクロールさせるよう構成してもよい。
【００３６】
上述したように、ポイティングデバイスで認識結果を順次ポイントして候補文字による修正作業を行う場合、認識結果を順次ポイントし認識結果画面の右端まで確認しさらに次の認識結果を表示しようとする場合にスクロールが必要になるが、ポインティング領域２２の設定により、認識結果表示ウインドウ２２の右端まで確認が終了したなら、そのすぐ右側にあるポインティング領域部分をポイティングデバイス４でポイントすると認識結果画面がスクロールされ、カーソル移動手段が起動されてカーソルが次の文字位置に位置付けられる。このように、ポインティング領域を設けたことによりポインティングデバイスを左右にポイントさせる手間が省略され、ポインティングデバイスの操作が簡略化できる。
【００３７】
また、例えば、図５で文字カーソル２６のある認識結果「表」の候補文字を参照したい場合にはポインティングカーソルは認識結果「表」のすぐ右側にあるのでポインティングデバイス４を操作してポインティングカーソルをわずかに左にずらし認識結果「表」をポイントすることで実現できる。
【００３８】
なお、図２（ｃ），図３，図５の例では、右方向のカーソル移動処理について述べたが、左方向のカーソル移動処理についてはスクロール（Ｓ３０３）及びカーソル移動（Ｓ３０４）処理においてその方向を左右逆にするだけでよく、また、上下方向のカーソル移動処理については文字カーソルが最上行または最下行にあるときスクロール（Ｓ３０３）及びカーソル移動（Ｓ３０４）処理において列方向のスクロール及び移動を行方向のスクロール及び移動にかえ、文字カーソルの位置は同じか或いは行の先頭に移動するだけでよいので、左方向及び上下方向のカーソル移動処理については説明を省略する。
【００３９】
このように、本発明によれば、次に着目した文字が画面に表示されていない場合にも少ない労力で画面のスクロール及びカーソルの移動を行うことができ、また、少ない示唆移動で次の処理を行うことができるので使用者の目の疲労が少ない。
【００４０】
なお、本実施例では所定幅のポインティング領域をウインドウの辺に沿って設けているが、ウインドウに限ることなく画面上で枠で囲まれた領域の辺に沿ってポインティング領域を設けるようにしてもよく、また、ウインドウや画面上で枠で囲まれた領域の数は１つに限られず複数個でもよい。
【００４１】また、ポインティング領域により画面上で枠を構成し、その内側に情報群（例えば、文字列）を表示するよう構成することもできる。
【００４２】
【発明の効果】
以上説明したように本発明によれば、ポインティング領域を設けることにより表示情報をスクロールした場合に必要なポインティングカーソルの移動を最小にできるので、ポインティングデバイスを左右にポイントさせる手間が省略され、ポインティングデバイスの操作が簡略化できる。具体的には、次に着目した文字が画面に表示されていない場合にも少ない労力で画面のスクロール及びカーソルの移動を行うことができ、また、少ない示唆移動で次の処理を行うことができるので使用者の目の疲労が少ない。
【図面の簡単な説明】
【図１】文字認識装置の修正処理部における編集手段の構成を示すブロック図である。
【図２】画面設定手段，ポインティング領域判定手段，スクロール手段およびカーソル移動手段の動作を示すフローチャートである。
【図３】文字認識装置の画面設定手段により認識結果とイメージデータを対応表示した初期修正画面の例である。
【図４】認識処理結果の修正処理中の修正画面の例である。
【図５】右方向カーソル移動処理実行後の修正画面である。
【図６】ポインティングデバイスによるカーソルの移動方法の一実施例としての認識文字とイメージデータの対応的表示方法を適用し得る文字認識装置の構成例を示すブロック図である。
【図７】ポインティングカーソルによるスクロールの従来例である。
【図８】ポインティングカーソルによるスクロールの従来例である。
【符号の説明】
４ ポインティングデバイス
２２ 認識結果表示ウインドウ（ウインドウ）
２２ ポインティング領域
２６ 文字カーソル（第１のカーソル）
【図１】
0003763864.tif 000002
【図２】
0003763864.tif 000003
【図３】
0003763864.tif 000004
【図４】
0003763864.tif 000005
【図５】
0003763864.tif 000006
【図６】
0003763864.tif 000007
【図７】
0003763864.tif 000008
【図８】
0003763864.tif 000009